(57)【要約】【課題】容器本体に充填される内容物と、それに関連する付加物を組み合わせて販売する場合に、いちいち容器本体の蓋体を開閉しなくても付加物を取り出すことができ、しかも、蓋体も上蓋も軽い力で開けることのできる、優れた付加物付容器を提供する。【解決手段】容器本体１１と、上記容器本体１１の上面開口を蓋する蓋体１２とを備え、上記蓋体１２が、容器本体１１内に充填される内容物とは異なる付加物を収納するための凹部２３を有する蓋体台部１３と、上記凹部２３の開口をスライド自在に蓋する上蓋１４とで構成されている。【選択図】図３
2006123944.tif 000002
【特許請求の範囲】
【請求項１】
容器本体と、上記容器本体の上面開口を蓋する蓋体とを備え、上記蓋体が、容器本体内に充填される内容物とは異なる付加物を収納するための凹部を有する蓋体台部と、上記凹部開口をスライド自在に蓋する上蓋とで構成されていることを特徴とする付加物付容器。
【請求項２】
上記蓋体台部の上面に、付加物収納用の凹部開口を挟んで左右一対の平行な係合用溝が形成されているとともに、上記上蓋下面に、左右一対の平行な係合用凸条が形成されており、上記係合用溝と係合用凸条の係合により、上記上蓋が蓋体台部にスライド自在に取り付けられている請求項１記載の付加物付容器。
【請求項３】
上記蓋体台部の凹部開口の左右両側縁部に、あり溝が形成されているとともに、上記上蓋下面に、あり部が形成されており、上記あり溝とあり部の係合により、上記上蓋が蓋体台部にスライド自在に取り付けられている請求項１記載の付加物付容器。
【請求項４】
蓋体が容器本体の上面開口を蓋した状態で、上記蓋体台部の付加物収納用の凹部が、容器本体の上面開口の内側に入り込むようになっている請求項１〜３のいずれか一項に記載の付加物付容器。
【発明の詳細な説明】
【技術分野】
【０００１】
本発明は、容器本体内の内容物とは異なる付加物を蓋体部分に収納することのできる容器に関するものである。
【背景技術】
【０００２】
最近、ボトルタイプの容器に粒状のチューインガムを多数充填したものが、多く出回っている。このような容器では、チューインガムを噛んだあと包んで捨てるための捨て紙を、チューインガムとともに収納して販売することが望まれており、例えば、図８（ａ）に示すように、容器本体１の上面開口に取り付けられる蓋体２の内側に、冊子状の捨て紙３を接着保持させたものや、図８（ｂ）に示すように、容器本体１内に仕切り４を設け、チューインガムを充填するスペース５とは別に捨て紙３充填用のスペース６を設けたもの（蓋体２は図示を省略）が、提案されている（特許文献１参照）。
【特許文献１】実用新案登録第３１０１９１４号公報
【発明の開示】
【発明が解決しようとする課題】
【０００３】
しかしながら、これらの容器では、チューインガムを喫食するたびに、チューインガムを取り出すときと捨て紙３を取り出すときの２回、蓋体２を開閉しなければならず、その開閉の繰り返しによって、蓋体２の開閉部の強度や密閉性が、低下しやすいという問題がある。また、捨て紙３を取り出す際、蓋体２を大きく開かなければならず、その都度ほこりや手指についた雑菌が容器内に侵入して衛生的でないという問題もある。
【０００４】
そこで、図９に示すように、蓋体２に厚みをもたせ、その上面に捨て紙３収納用の凹部７を設け、この凹部７の上面開口を、ヒンジ連結によって取り付けた上蓋８でさらに蓋したものが提案されている。しかし、このものは、上蓋８を開けるとき、その力で蓋体２全体が開いてしまわないように、蓋体２と容器本体１との係合を、従来よりも強固にせざるを得ず、蓋体２を開けるとき、強い力が必要となる。また、蓋体２が分厚い分、力の入れ方が難しいという問題もある。
【０００５】
本発明は、このような事情に鑑みなされたもので、チューインガムと捨て紙のように、容器本体に充填される内容物と、それに関連する付加物を組み合わせて販売する場合に、いちいち容器本体の蓋体を開閉しなくても付加物を取り出すことができ、しかも、蓋体も上蓋も軽い力で開けることのできる、優れた付加物付容器の提供をその目的とする。
【課題を解決するための手段】
【０００６】
上記の目的を達成するため、本発明は、容器本体と、上記容器本体の上面開口を蓋する蓋体とを備え、上記蓋体が、容器本体内に充填される内容物とは異なる付加物を収納するための凹部を有する蓋体台部と、上記凹部開口をスライド自在に蓋する上蓋とで構成されている付加物付容器を第１の要旨とする。
【０００７】
また、本発明は、そのなかでも、特に、上記蓋体台部の上面に、付加物収納用の凹部開口を挟んで左右一対の平行な係合用溝が形成されているとともに、上記上蓋下面に、左右一対の平行な係合用凸条が形成されており、上記係合用溝と係合用凸条の係合により、上記上蓋が蓋体台部にスライド自在に取り付けられている付加物付容器を第２の要旨とし、上記蓋体台部の凹部開口の左右両側縁部に、あり溝が形成されているとともに、上記上蓋下面に、あり部が形成されており、上記あり溝とあり部の係合により、上記上蓋が蓋体台部にスライド自在に取り付けられている付加物付容器を第３の要旨とする。
【０００８】
さらに、本発明は、それらのなかでも、特に、蓋体が容器本体の上面開口を蓋した状態で、上記蓋体台部の付加物収納用の凹部が、容器本体の上面開口の内側に入り込むようになっている付加物付容器を第４の要旨とする。
【発明の効果】
【０００９】
すなわち、本発明の付加物付容器は、蓋体台部に付加物収納用の凹部を設け、その凹部開口を、スライド自在に取り付けられた上蓋でカバーするようにしたものである。この付加物付容器によれば、いちいち蓋体全体を開けなくても、蓋体のうち上蓋のみを開けて、蓋体台部の凹部内に収納された付加物を取り出すことができるため、蓋体全体の開閉回数を少なくすることができ、蓋体の開閉部の強度や密封性を従来品より長く維持することができる。そして、容器本体内を、より清浄に保つことができる。また、上蓋を大きくスライドさせなくても、その下の凹部内に収納された付加物を取り出せる程度に開けばよいため、開閉を繰り返しても、付加物自体をも比較的衛生的に保つことができる。
【００１０】
また、本発明のなかでも、特に、上記蓋体台部の上面に、付加物収納用の凹部開口を挟んで左右一対の平行な係合用溝が形成されているとともに、上記上蓋下面に、左右一対の平行な係合用凸条が形成されており、上記係合用溝と係合用凸条の係合により、上記上蓋が蓋体台部にスライド自在に取り付けられているものは、スライドによる上蓋の移動がスムーズで、長期にわたって良好に使用することができる。そして、上記蓋体台部の凹部開口の左右両側縁部に、あり溝が形成されているとともに、上記上蓋下面に、あり部が形成されており、上記あり溝とあり部の係合により、上記上蓋が蓋体台部にスライド自在に取り付けられているものも、同様に、スライドによる上蓋の移動がスムーズで、長期にわたって良好に使用することができる。
【００１１】
さらに、本発明のなかでも、特に、蓋体が容器本体の上面開口を蓋した状態で、上記蓋体台部の付加物収納用の凹部が、容器本体の上面開口の内側に入り込むようになっている付加物付容器は、蓋体のうち、容器本体の上面開口より上に配置される部分の厚みを薄く設定することができるため、全体形状がコンパクトになるとともに、容器本体から蓋体を開けるときに、蓋体に力をかけやすく開けやすいという利点を有する。
【発明を実施するための最良の形態】
【００１２】
つぎに、本発明を実施するための最良の形態について説明する。
【００１３】
図１は、本発明を実施するための最良の形態を示している。この容器は、粒状のチューインガムを多数個充填して販売に供するもので、ポリプロピレン製の容器本体１１と、この容器本体１１の上面開口を蓋するポリエチレン製の蓋体１２とで構成されている。
【００１４】
より詳しく説明すると、上記容器本体１１は、図１のＡ−Ａ′断面図である図２に示すように、首部１１ａが胴部１１ｂよりやや小径に絞られたボトル形状で、この中に、粒状のチューインガムが多数個充填されるようになっている。また、上記蓋体１２は、容器本体１１の首部１１ａに冠着される蓋体台部１３と、この蓋体台部１３にスライド自在に取り付けられる上蓋１４とで構成されている。
【００１５】
上記蓋体台部１３は、容器本体１１の上面開口を蓋する天井壁１５と、その周端縁から垂下して容器本体１１の首部１１ａに外嵌する第１の円筒部１６と、容器本体１１の上面開口から容器内側に入り込んで内部を密封する第２の円筒部１７とを備えている。
【００１６】
上記第１の円筒部１６には、図１に示すように、上下２本のスリット１８、１９が周方向に形成されており、開封時に、この２本のスリット１８、１９に挟まれた帯状部分Ｐを取り外す（奥側の所定部分はつながったままで、蓋体１２の開閉用ヒンジ部となる）ことにより、スリット１８から上の部分を、いわゆる「蓋」として開閉させることができるようになっている（図６参照）。２１は上記帯状部分Ｐを取り外す際のつまみ部であり、２２は、スリット１８から上の部分を上に開くときに指をかけるための突出片である。
【００１７】
また、上記蓋体台部１３の天井壁１５の中央部には、平面視長方形状の凹部２３（図３参照）が設けられており、この凹部２３内に、粒状チューインガムを喫食後、包んで捨てるための捨て紙３０が重ねて収納されるようになっている（図４参照）。そして、この凹部２３の左右両側の凹部開口縁部に、それぞれあり溝２４、２５が形成されており、このあり溝２４、２５を、上蓋１４の下面から突出する突出部２６の左右両側に設けられたあり部２７、２８（図５参照）と係合させることにより、上蓋１４を、前後方向にスライド自在に保持している。ただし、蓋体台部１３から完全に上蓋１４が抜けないよう所定の部分に、抜け止め手段が設けられている（図示せず）。
【００１８】
上記上蓋１４を手前から後にスライドさせた状態を図３に示す。また、凹部２３内に捨て紙３０を収納した状態を図４に示す。なお、３１は、凹部２３内から捨て紙３０を取り出すとき、取り出しやすくするために、凹部２３の開口縁部手前側に設けられた小凹部である。また、３２は、上蓋１４をスライドさせるとき指をかけるために、上蓋１４の上面手前側に設けられた小凹部である。
【００１９】
さらに、上記蓋体台部１３の凹部２３内に収納される捨て紙３０は、１枚１枚がばらばらではなく、多数枚重ねた状態で、互いの奥側の一辺部を粘着剤で弱く接着して冊子状にしたものが収納されるようになっている。
【００２０】
上記容器によれば、粒状チューインガムを取り出す場合は、図６に示すように、容器本体１１の上面開口に冠着された蓋体１２自体を開けて、中の粒状チューインガムを取り出し、これを噛んだ後は、図４に示すように、蓋体１２を閉じたまま、その上蓋１４をスライドさせて、凹部２３内の捨て紙３０を１枚取り出し、これでチューインガムを包んで捨てればよい。このように、捨て紙３０を、蓋体１２を閉じた状態で取り出すことができるため、蓋体１２の開閉回数を少なくすることができ、蓋体１２の開閉部の強度や密封性を従来品より長く維持することができる。そして、容器本体１１内を、より清浄に保つことができる。また、上蓋１４は、前後方向にスライドさせて開閉するものであり、この開閉動作時に、蓋体１２が開くおそれはないため、蓋体１２自体と容器本体１１の係合を強くする必要はなく、それぞれの開閉をスムーズに行うことができる。
【００２１】
しかも、上記容器は、捨て紙３０を収納する凹部２３が、蓋体台部１３の、容器本体１１の上面開口と嵌合する第２の円筒部１７の内側に設けられており、容器本体１１の内側に入り込む配置になっているため、蓋体１２が分厚くならず、全体としてコンパクトになる。そして、蓋体１２が分厚くならないため、容器本体１１から蓋体１２を開けるとき、蓋体１２に力をかけやすく、開けやすいという利点を有する。
【００２２】
さらに、蓋体１２において、上蓋１４を大きくスライドさせなくても、凹部２３内に収納された捨て紙３０を手前に引き出せる程度に開けばよいため、凹部２３内も、比較的衛生的に保つことができる。
【００２３】
なお、上蓋１４と蓋体台部１３をスライド自在に係合させる方法として、上記の例では、凹部２３近傍に設けたあり溝２４、２５と、上蓋１４下面に設けたあり部２７、２８とを係合させるようにしているが、これに限らず、適宜の係合方法を適用することができる。例えば、上記蓋体台部１３の上面に、凹部２３の開口を挟んで左右一対の平行な係合用溝を形成し、上記上蓋下面に、左右一対の平行な係合用凸条を形成して、上記係合用溝と係合用凸条の係合により、上記上蓋１４を蓋体台部１３にスライド自在に取り付けるようにしてもよい。なお、この場合も、適宜の抜け止め手段が必要である。
【００２４】
また、スライドの方向も、容器正面に対し前後方向にスライドさせる必要はなく、左右方向や斜め方向にスライドさせるようにしてもよい。あるいは、図７に示すように、上蓋１４を、蓋体台部１３の天井壁１５（図２参照）の一個所に、ピン５０を介して回動自在に取り付け、図示のように横方向にスライドさせて、凹部２３を露出させるようにしても差し支えない。
【００２５】
さらに、容器の全体形状や容器本体１１への蓋体１２の取付形態は、上記の例に限らず適宜に設定することができる。例えば、容器形状として、円柱状、四角柱状、楕円柱状等の容器、背の低い略板状容器等があげられる。そして、容器本体１１と蓋体台部１３の取り付け方法としては、上記の例の他、ねじによるら合等があげられる。
【００２６】
そして、蓋体台部１３に設けられる凹部２３は、必ずしも、蓋体１２を閉じた状態で、容器本体１１の内側に入り込むようにする必要はなく、容器本体１１の上面開口から上になるような配置にしてもよい。ただし、すでに述べたように、容器本体１１の内側に入り込むようにした方が、全体がコンパクトになり、また蓋体１２の開閉動作もしやすく好ましい。
【００２７】
そして、上記の例は、本発明を、粒状チューインガムと捨て紙を組み合わせて販売する容器に適用したものであるが、内容物およびこれに付加する物品は、特に限定するものではない。例えば、容器本体にファンデーションを充填し、蓋体台部１３の凹部２３内に油とり紙を収納して組み合わせたものや、容器本体にネイル（付け爪）を充填し、蓋体台部１３の凹部２３内に装飾用の石やビーズを収納して組み合わせたもの等、各種のものに適用することができる。
【図面の簡単な説明】
【００２８】
【図１】本発明の一実施例を示す外観斜視図である。
【図２】図１のＡ−Ａ′断面図である。
【図３】上記実施例の蓋体の説明図である。
【図４】上記実施例の蓋体に捨て紙を収納した状態を示す説明図である。
【図５】上記実施例の上蓋の下面を示す説明図である。
【図６】上記実施例の蓋体を開けた状態を示す説明図である。
【図７】本発明の他の実施例を示す部分的な説明図である。
【図８】（ａ）および（ｂ）は、いずれも従来のチューインガム容器の説明図である。
【図９】従来の他のチューインガム容器の説明図である。
【符号の説明】
【００２９】
１２  蓋体
１３  蓋体台部
１４  上蓋
２３  凹部
【図１】
2006123944.tif 000003
【図２】
2006123944.tif 000004
【図３】
2006123944.tif 000005
【図４】
2006123944.tif 000006
【図５】
2006123944.tif 000007
【図６】
2006123944.tif 000008
【図７】
2006123944.tif 000009
【図８】
2006123944.tif 000010
【図９】
2006123944.tif 000011